(57)【要約】【課題】複数の表示パネルの継ぎ目を目立たせることなく表示することができる表示装置を提供する。【解決手段】表示装置は、Ｘ方向（第１方向）に並ぶ複数の画素列であって、各画素列はＸ方向（第１方向）とは異なるＹ方向（第２方向）に並ぶ複数の画素Ｐｉｘからなる前記画素列を有する複数の表示パネル４と、複数の表示パネル４の表示制御を行う制御部５と、を備えている。表示パネル４は、Ｙ方向（第２方向）に延在する少なくとも１辺に曲面を成す曲面領域と、該曲面領域を除く平面領域とを含む。制御部５は、画素列毎の光量比に基づいて、曲面領域に一部又は全部が含まれる第１画素列と、少なくとも第１画素列に対して隣接する第２画素列とに対して同一の映像信号を供給する。【選択図】図１
2019066666.tif 000002
【特許請求の範囲】
【請求項１】
第１方向に並ぶ複数の画素列であって、前記第１方向とは異なる第２方向に並ぶ複数の画素からなる前記画素列を有する複数の表示パネルと、
前記複数の表示パネルの表示制御を行う制御部と、
を備え、
前記表示パネルは、
前記第２方向に延在する少なくとも１辺に曲面を成す曲面領域と、該曲面領域を除く平面領域とを含み、
前記制御部は、
前記画素列毎の光量比に基づいて、前記第１方向において、前記曲面領域に一部又は全部が含まれる第１画素列と、少なくとも前記第１画素列に対して隣接する第２画素列とに対して同一の映像信号を供給する
表示装置。
【請求項２】
前記制御部は、
前記画素列毎の光量比を、前記画素列毎に同一値の映像信号を供給したときの所定の基準光量値に対する前記画素列毎の光量の測定値に基づき設定する
請求項１に記載の表示装置。
【請求項３】
前記制御部は、
前記画素列毎の光量比を、前記平面領域に配置された画素列の第１方向における幅に対する前記画素列毎の前記第１方向における幅に基づき設定する
請求項１に記載の表示装置。
【請求項４】
前記複数の表示パネルは、前記第１方向に隣接する第１表示パネルと第２表示パネルとを含み、
前記制御部は、
前記画素列毎に光量比が所定の第１閾値以下となるかを判定し、前記第１閾値以下の光量比を有する画素列を前記第１画素列として、当該第１画素列と隣接する前記第２画素列に対して同一の映像信号を供給する
請求項１から請求項３の何れか一項に記載の表示装置。
【請求項５】
前記制御部は、
前記第１閾値を超える光量比を有する画素列には、隣接する画素列とは異なる映像信号を供給する
請求項４に記載の表示装置。
【請求項６】
前記複数の表示パネルは、前記第１方向に隣接する第１表示パネルと第２表示パネルとを含み、
前記制御部は、
前記画素列毎に光量比が所定の第１閾値以下となるかを判定し、
当該画素列が前記第１閾値以下の第１光量比を有する場合に、当該画素列を前記第１画素列とし、前記第１画素列と、当該第１画素列に隣接する前記第２画素列とを含む第１領域の合算光量比が所定の第２閾値以下となるかを判定し、
前記合算光量比が前記第２閾値を超える場合に、前記第１領域に含まれる前記第１画素列および前記第２画素列に対して同一の映像信号を供給する
請求項１から請求項３の何れか一項に記載の表示装置。
【請求項７】
前記制御部は、
前記合算光量比が前記第２閾値以下である場合に、前記第１領域に、当該第１領域と隣接する第３画素列を加える
請求項６に記載の表示装置。
【請求項８】
前記制御部は、同一の映像信号を供給する複数の前記画素列の前記光量比の和の逆数を映像信号の信号値に乗じる
請求項１から請求項７の何れか一項に記載の表示装置。
【請求項９】
前記画素において、前記第１方向に隣接する前記複数の画素は、同一の色が対応づけられている
請求項１から請求項８の何れか一項に記載の表示装置。
【発明の詳細な説明】
【技術分野】
【０００１】
本発明は、表示装置に関する。
【背景技術】
【０００２】
近年、液晶表示パネルや有機エレクトロルミネッセンス発光を用いた有機ＥＬディスプレイパネル（ＯＬＥＤ：Ｏｒｇａｎｉｃ  Ｅｌｅｃｔｒｏ−Ｌｕｍｉｎｅｓｃｅｎｃｅ  Ｄｉｓｐｌａｙ）を用いた表示装置の需要が高くなっている。特に、ＯＬＥＤの画素を構成する有機ＥＬ素子は自発光素子であり、バックライト等の照明部材を必要としないため、液晶表示パネルに比べて薄型化が容易であり、ステンレス基板やプラスチック基板等の薄板に画素回路を形成して基板の周辺部を折り曲げることにより、画像表示に寄与しない額縁領域を縮小する、所謂、狭額縁化が可能である（例えば、特許文献１）。
【先行技術文献】
【特許文献】
【０００３】
【特許文献１】特開２０１２−１２８００６号公報
【発明の概要】
【発明が解決しようとする課題】
【０００４】
例えば、１つの電子機器に複数の表示パネルを具備し、これら複数の表示パネルを用いて１つの画面を表示する態様において、有機ＥＬ素子による画素回路を形成した基板の周辺部を折り曲げたＯＬＥＤを表示パネルとして用いることが考えられる。このような構成において、各ＯＬＥＤの折り曲げ端を突き合わせることで、１つの画面を継ぎ目なく表示させる１つの表示領域を構成することができる。しかしながら、ＯＬＥＤの折り曲げ端に位置する画素は、基板の曲げ半径に応じて平面部に位置する画素よりも正面視における面積が小さくなるため、ＯＬＥＤの折り曲げ端においてＯＬＥＤの配列方向に画像の歪が生じる。また、ＯＬＥＤの折り曲げ端に位置する画素の発光効率が低下する。このため、各ＯＬＥＤ間の継ぎ目が目立ち、観測者に違和感を与える可能性がある。
【０００５】
本発明は、複数の表示パネルの継ぎ目を目立たせることなく表示することができる表示装置を提供することを目的とする。
【課題を解決するための手段】
【０００６】
本発明の一態様に係る表示装置は、第１方向に並ぶ複数の画素列であって、前記第１方向とは異なる第２方向に並ぶ複数の画素からなる前記画素列を有する複数の表示パネルと、前記複数の表示パネルの表示制御を行う制御部と、を備え、前記表示パネルは、前記第２方向に延在する少なくとも１辺に曲面を成す曲面領域と、該曲面領域を除く平面領域とを含み、前記制御部は、前記画素列毎の光量比に基づいて、前記第１方向において、前記曲面領域に一部又は全部が含まれる第１画素列と、少なくとも前記第１画素列に対して隣接する第２画素列とに対して同一の映像信号を供給する。
【図面の簡単な説明】
【０００７】
【図１】図１は、実施形態１に係る表示装置を適用した表示システムの概略構成の一例を示す図である。
【図２】図２は、実施形態１に係る表示装置における任意のＸ方向に隣接する２の表示パネルの境界部の概略構造を示す図である。
【図３】図３は、実施形態１に係る表示装置における表示パネルの図２に示すＢ矢示断面図である。
【図４】図４は、実施形態１に係る表示装置における制御部のブロック構成の一例を示す図である。
【図５Ａ】図５Ａは、第１制御部のレジスタ部に格納される光量比情報の一例を示す図である。
【図５Ｂ】図５Ｂは、第２制御部のレジスタ部に格納される光量比情報の一例を示す図である。
【図６】図６は、図３に示す曲面領域にＸ方向（第１方向）の一部又は全部が含まれる有効画素列が、隣接する各表示パネルにおいてそれぞれ２列である場合の各有効画素列毎の光量比をグラフ化した図である。
【図７】図７は、制御部における処理フローの一例を示す。
【図８】図８は、制御部における処理フローの変形例を示す。
【図９】図９は、図３に示す例において、光量比が第１閾値Ｌｔｈ１以下となる有効画素列を含む画像信号制御情報の一例を示す図である。
【図１０】図１０は、図３に示す例において、光量比が第１閾値Ｌｔｈ１以下となる有効画素列を含む画像信号制御情報の一例を示す図である。
【図１１】図１１は、曲面領域にＸ方向（第１方向）の一部又は全部が含まれる有効画素列が、隣接する各表示パネルにおいてそれぞれ３列である場合の概略断面図である。
【図１２】図１２は、図１１に示す曲面領域にＸ方向（第１方向）の一部又は全部が含まれる有効画素列が、隣接する各表示パネルにおいてそれぞれ３列である場合の各有効画素列毎の光量比をグラフ化した図である。
【図１３】図１３は、図１１に示す例において、光量比が第１閾値Ｌｔｈ１以下となる有効画素列を含む画像信号制御情報の一例を示す図である。
【図１４】図１４は、図１１に示す例において、光量比が第１閾値Ｌｔｈ１以下となる有効画素列を含む画像信号制御情報の一例を示す図である。
【図１５】図１５は、図３および図９に示す例において、映像信号に対して光量比の逆数を反映した場合の実施形態２に係る画像信号制御情報の一例を示す図である。
【図１６】図１６は、曲面領域にＸ方向（第１方向）の一部又は全部が含まれる有効画素列が、隣接する各表示パネルにおいてそれぞれ２列である場合の概略断面図である。
【発明を実施するための形態】
【０００８】
以下に、本発明の実施形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
（実施形態１）
図１は、実施形態１に係る表示装置を適用した表示システムの概略構成の一例を示す図である。図１に示す表示システム１００は、表示装置１と、制御装置２とを含み構成される。
【００１０】
表示装置１は、複数の画素Ｐｉｘが、基板６上に配置された複数の表示パネル４（４−１，４−２，・・・，４−ｐ）と、複数の表示パネル４毎に設けられ、それぞれ各表示パネル４の表示制御を行う制御部５（５−１，５−２，・・・，５−ｐ）と、を備えている。図１では、ｐ（ｐは、自然数）の表示パネル４および制御部５を有する例を例示している。
【００１１】
本実施形態において、複数の表示パネル４は、Ｘ方向（第１方向）に並べて配置され、１つの表示領域３を構成する。表示パネル４を構成する基板６としては、折り曲げ可能な基板であって、例えば、シート状の金属基板、ポリイミド等の有機絶縁基板やプラスチック基板等を用いることができる。なお、ここでの詳細な説明は省略するが、複数の表示パネル４は、何れか１つにおいて１つの画像を表示する１つの表示領域を構成することも可能な態様としても良いし、各表示パネル４においてそれぞれ異なる画像を表示する複数の表示領域を構成することも可能な態様としても良い。
【００１２】
制御装置２は、例えば、ＣＰＵ（Ｃｅｎｔｒａｌ  Ｐｒｏｃｅｓｓｉｎｇ  Ｕｎｉｔ）およびメモリ等の記憶装置を含み構成されるホストＩＣ（半導体デバイス）であり、このホストＩＣに含まれるハードウェア資源を用いてプログラムを実行することにより、表示装置１における画像表示を実現することができる。制御装置２は、プログラムの実行結果に応じて、表示装置１に表示させる画像の信号（以下、「画像信号」ともいう）を制御部５が画像入力階調の情報として扱えるように制御して出力する機能を有している。この制御装置２によって実施される処理によって本発明が限定されるものではない。
【００１３】
制御装置２から出力される画像信号Ｖは、各制御部５から各表示パネル４の各画素列毎に供給される映像信号の情報を含んでいる。
【００１４】
本実施形態において、各制御部５は、同一あるいは同種の機能を有するドライバＩＣ（半導体デバイス）である。図１に示す例において、制御部５−１は、制御装置２から表示パネル４−１，４−２，・・・，４−ｐで表示される画像信号Ｖが入力され、表示パネル４−１に対する表示制御を行うと共に、制御部５−２に対して、表示パネル４−２，・・・，４−ｐで表示される画像信号Ｖ（１）を出力する。また、制御部５−２は、制御部５−１から画像信号Ｖ（１）が入力され、表示パネル４−２に対する表示制御を行うと共に、制御部（５−３、図示せず）に対して、表示パネル（４−３、図示せず），・・・，４−ｐで表示される画像信号Ｖ（２）を出力する。また、制御部５−ｐは、制御部（５−（ｐ−１）、図示せず）から表示パネル４−ｐで表示される画像信号Ｖ（ｐ−１）が入力され、表示パネル４−ｐに対する表示制御を行う。
【００１５】
複数の画素Ｐｉｘは、折り曲げ部分に配置可能な表示素子であって、例えば、有機ＥＬ素子で構成される。また、複数の画素Ｐｉｘは、例えば、Ｘ方向（第１方向）およびＹ方向（第２方向）に並ぶマトリクス状に配置される。各画素Ｐｉｘは、Ｘ方向に並ぶ画素行毎に順次走査され、Ｙ方向に並ぶ各画素列の画素Ｐｉｘ毎に映像信号が供給される。これにより、表示領域３に対し、制御装置２から出力される画像信号Ｖに応じた画像表示が行われる。
【００１６】
図２は、実施形態１に係る表示装置における任意のＸ方向に隣接する２の表示パネルの境界部の概略構造を示す図である。図２に示す例において、一点鎖線より左側は第１表示パネル４１（例えば、図１の表示パネル４−１）を示し、一点鎖線より右側は第２表示パネル４２（例えば、表示パネル４−２）を示している。なお、第１表示パネル４１および第２表示パネル４２は、それぞれ表示パネル４−１および表示パネル４−２に限られない。例えば、表示装置１に含まれる表示パネル４が３以上である場合において、隣接する２の各表示パネル４の表示領域３における境界部の概略構造の少なくともいずれかが同様の構成であればよい。なお、隣接する２の各表示パネル４のいずれの境界部については同様の構成であってもよい。なお、特に第１表示パネル４１および第２表示パネル４２を区別する必要がない場合には、表示パネル４と呼称する。
【００１７】
図３は、実施形態１に係る表示装置における表示パネルの図２に示すＢ矢示断面図である。図３に示す例では、隣接する２の表示パネルの一方を第１表示パネル４１、他方を第２表示パネル４２としている。また、図３に示す例では、図２と同様に、第１表示パネル４１の第２表示パネル４２側の折り曲げ端から順に、有効画素列Ｒ１ｎ、有効画素列Ｒ１ｎ−１、有効画素列Ｒ１ｎ−２、有効画素列Ｒ１ｎ−３、有効画素列Ｒ１ｎ−４、有効画素列Ｒ１ｎ−５、・・・が並び、第２表示パネル４２の第１表示パネル４１側の折り曲げ端から順に、有効画素列Ｒ２１、有効画素列Ｒ２２、有効画素列Ｒ２３、有効画素列Ｒ２４、有効画素列Ｒ２５、有効画素列Ｒ２６、・・・が並んでいるものとしている。なお、曲面領域Ｃに含まれる有効画素列の数は、２列である。
【００１８】
図２および図３に示すように、隣接する２の表示パネル４（図２および図３に示す例では第１表示パネル４１、第２表示パネル４２）が対向するＹ方向の各辺は、所定の曲げ半径ｒで背面に折り曲げられている。すなわち、表示パネル４は、表示領域３に直交する方向（Ｚ方向）に見て、すなわち正面視において視認される全領域のうち、折り曲げによって曲面が形成された曲面領域Ｃと、曲面領域Ｃ以外の平面領域Ｄとを含んでいる。以下の説明では、表示パネル４の正面視において視認される全領域にＸ方向（第１方向）の一部又は全部が含まれる画素列を、「有効画素列」とも称する。例えば、図２および図３において、第１表示パネル４１の曲面領域Ｃには２つの有効画素列Ｒ１ｎおよび有効画素列Ｒ１ｎ−１が含まれ、第２表示パネル４２の曲面領域Ｃには２つの有効画素列Ｒ２１および有効画素列Ｒ２２が含まれる。一方で、第１表示パネル４１の平面領域Ｄには有効画素列Ｒ１ｎ−２〜Ｒ１ｎ−４が含まれ、第２表示パネル４２の平面領域Ｄには有効画素列Ｒ２３〜Ｒ２５が含まれる。
【００１９】
本実施形態において、画素Ｐｉｘは、赤色光を発する副画素Ｒｐｉｘ、緑色光を発する副画素Ｇｐｉｘ、および青色光を発する副画素Ｂｐｉｘを有する。画素Ｐｉｘにおいて、副画素Ｒｐｉｘ、副画素Ｇｐｉｘ、および副画素Ｂｐｉｘは、Ｘ方向（第１方向）の長さが等しく、これら副画素Ｒｐｉｘ、副画素Ｇｐｉｘ、副画素ＢｐｉｘがＹ方向（第２方向）に並び配列されて構成されている。これにより、表示パネル４の曲面領域ＣにＸ方向（第１方向）の一部又は全部が含まれる有効画素列において、副画素Ｒｐｉｘ、副画素Ｇｐｉｘ、および副画素Ｂｐｉｘから表示領域３に直交する方向（Ｚ方向）に発する光量が等しくなる。なお、各発光素子の発光量が色ごとに異なる場合は、各色に対応する副画素毎にＸ方向（第１方向）の幅を変更してもよい。また、画素Ｐｉｘにおいて、Ｘ方向（第１方向）に隣接する副画素の色は同じである。なお、画素Ｐｉｘを構成する各副画素が発する色は、赤、緑、青に限られず、さらに白色を発する副画素を含んでいても良いし、補色等の異なる色であっても良い。
【００２０】
各表示パネル４の折り曲げ端に位置する有効画素列は、正面視においてＸ方向（第１方向）の一部が視認されない場合がある。また、この各表示パネル４の折り曲げ端に位置する有効画素列を含み、曲面領域ＣにＸ方向（第１方向）の一部又は全部が含まれる有効画素列は、正面視において、Ｘ方向（第１方向）の幅が、平面領域Ｄに全部が含まれる有効画素列よりも短くなる。換言すれば、曲面領域ＣにＸ方向（第１方向）の一部又は全部が含まれる有効画素列の各画素Ｐｉｘは、正面視において視認される各画素Ｐｉｘの面積が、平面領域Ｄに全部が含まれる有効画素列の画素Ｐｉｘよりも小さくなる。このため、１つの表示パネルで１つの表示領域を構成する態様と同様の表示制御を行うと、曲面領域ＣにおいてＸ方向（第１方向）に画像の歪が生じて各表示パネル４間の境界部（継ぎ目）が目立ち、観測者に違和感を与える可能性がある。
【００２１】
正面視において視認される各画素Ｐｉｘの面積は、各画素Ｐｉｘから表示領域３に直交する方向（Ｚ方向）に発する光量と略比例する。換言すれば、正面視における各有効画素列のＸ方向（第１方向）の幅は、各有効画素列から表示領域３に直交する方向（Ｚ方向）に発する光量と略比例する。
【００２２】
さらに、平面領域Ｄに全部が含まれる有効画素列に含まれる画素Ｐｉｘが正面視において視認される面積と、曲面領域ＣにＸ方向（第１方向）の一部又は全部が含まれる有効画素列に含まれる画素Ｐｉｘが正面視において視認される面積との比率は、平面領域Ｄに全部が含まれる有効画素列に含まれる画素Ｐｉｘから表示領域３に直交する方向（Ｚ方向）に発する光量と、曲面領域ＣにＸ方向（第１方向）の一部又は全部が含まれる有効画素列に含まれる画素Ｐｉｘから表示領域３に直交する方向（Ｚ方向）に発する光量との比率と略比例する。換言すれば、平面領域Ｄに全部が含まれる有効画素列の正面視におけるＸ方向（第１方向）の幅と、曲面領域ＣにＸ方向（第１方向）の一部又は全部が含まれる有効画素列の正面視におけるＸ方向（第１方向）の幅との比率は、平面領域Ｄに全部が含まれる有効画素列から表示領域３に直交する方向（Ｚ方向）に発する光量と、曲面領域ＣにＸ方向（第１方向）の一部又は全部が含まれる有効画素列から表示領域３に直交する方向（Ｚ方向）に発する光量との比率と略比例する。
【００２３】
従って、本実施形態では、曲面領域ＣにＸ方向（第１方向）の一部又は全部が含まれる複数の有効画素列に対して、同一の映像信号を供給する。このようにすれば、平面領域Ｄに全部が含まれる有効画素列の幅と、曲面領域Ｃにおいて同一の映像信号が供給される複数の有効画素列の合計幅との差を小さくすることができ、平面領域Ｄに全部が含まれる有効画素列から表示領域３に直交する方向（Ｚ方向）発する光量と、曲面領域Ｃにおいて同一の映像信号が供給される複数の有効画素列から表示領域３に直交する方向（Ｚ方向）発する光量との相対差を小さくすることができる。
【００２４】
例えば、図２および図３に示す例において、第１表示パネル４１において曲面領域ＣにＸ方向（第１方向）の一部又は全部が含まれる複数の有効画素列（例えば、有効画素列Ｒ１ｎおよび有効画素列Ｒ１ｎ−１）に対して同一の映像信号を供給し、第２表示パネル４２において曲面領域ＣにＸ方向（第１方向）の一部又は全部が含まれる複数の有効画素列（例えば、有効画素列Ｒ２１および有効画素列Ｒ２２）に対して同一の映像信号を供給する。
【００２５】
また、例えば、図２および図３に示す例において、曲面領域Ｃにおいて第１表示パネル４１の折り曲げ端に位置する有効画素列（例えば、有効画素列Ｒ１ｎ）と、この有効画素列に隣接し、第２表示パネル４２の折り曲げ端に位置する有効画素列（例えば、有効画素列Ｒ２１）との双方に、同一の映像信号を供給する。
【００２６】
これにより、平面領域Ｄに全部が含まれる有効画素列に供給される映像信号によって観測者が感知する明るさと、曲面領域Ｃにおいて複数の有効画素列に供給される同一の映像信号によって観測者が感知する明るさとの相対差を小さくすることができる。
【００２７】
図４は、実施形態１に係る表示装置における制御部のブロック構成の一例を示す図である。図４に示す例では、第１表示パネル４１の表示制御を行う制御部を第１制御部５１、第２表示パネル４２の表示制御を行う制御部を第２制御部５２としている。なお、特に第１制御部５１および第２制御部５２を区別する必要がない場合には、制御部５と呼称する。
【００２８】
制御部５は、処理部５１１（５２１）と、レジスタ部５１２（５２２）とを備えている。第１制御部５１は、制御装置２又は前段の制御部５（図示せず）から画像信号Ｖ０が入力され、後段の第２制御部５２に画像信号Ｖ１を出力する。第２制御部５２は、第１制御部５１から画像信号Ｖ１が入力され、処理を完了する又は後段の制御部（図示せず）に画像信号Ｖ２を出力する。
【００２９】
第１制御部５１のレジスタ部５１２には、第１表示パネル４１における各有効画素列Ｒ１ｎ，Ｒ１ｎ−１，Ｒ１ｎ−２，Ｒ１ｎ−３，Ｒ１ｎ−４，・・・の光量比情報Ｉ１１が格納されている。また、第１制御部５１のレジスタ部５１２には、後述する第１制御部５１の処理部５１１によって求められた画像信号制御情報Ｉ１２が格納される。
【００３０】
第２制御部５２のレジスタ部５２２には、第２表示パネル４２における各有効画素列Ｒ２１，Ｒ２２，Ｒ２３，Ｒ２４，Ｒ２５，・・・の光量比情報Ｉ２１が格納されている。また、第２制御部５２のレジスタ部５２２には、後述する第２制御部５２の処理部５２１によって求められた画像信号制御情報Ｉ２２が格納される。
【００３１】
図５Ａは、第１制御部のレジスタ部に格納される光量比情報の一例を示す図である。図５Ｂは、第２制御部のレジスタ部に格納される光量比情報の一例を示す図である。
【００３２】
図５Ａに示すように、第１制御部５１のレジスタ部５１２には、第１表示パネル４１の各有効画素列Ｒ１ｎ，Ｒ１ｎ−１，Ｒ１ｎ−２，Ｒ１ｎ−３，Ｒ１ｎ−４，・・・が設定されている。また、これら各有効画素列Ｒ１ｎ，Ｒ１ｎ−１，Ｒ１ｎ−２，Ｒ１ｎ−３，Ｒ１ｎ−４，・・・毎に同一値の映像信号を供給したときの所定の基準光量値に対する各有効画素列Ｒ１ｎ，Ｒ１ｎ−１，Ｒ１ｎ−２，Ｒ１ｎ−３，Ｒ１ｎ−４，・・・毎の光量比Ｌ１ｎ，Ｌ１ｎ−１，Ｌ１ｎ−２，Ｌ１ｎ−３，Ｌ１ｎ−４，・・・が光量比情報Ｉ１１として格納されている。
【００３３】
図５Ｂに示すように、第２制御部５２のレジスタ部５２２には、第２表示パネル４２の各有効画素列Ｒ２１，Ｒ２２，Ｒ２３，Ｒ２４，Ｒ２５，・・・が設定されている。また、これら各有効画素列Ｒ２１，Ｒ２２，Ｒ２３，Ｒ２４，Ｒ２５，・・・毎に同一値の映像信号を供給したときの所定の基準光量値に対する各有効画素列Ｒ２１，Ｒ２２，Ｒ２３，Ｒ２４，Ｒ２５，・・・毎の光量比Ｌ２１，Ｌ２２，Ｌ２３，Ｌ２４，Ｌ２５，・・・が光量比情報Ｉ２１として格納されている。
【００３４】
ここで、光量比情報Ｉ１１（Ｉ２１）の設定手法について説明する。光量比情報Ｉ１１（Ｉ２１）は、表示パネル４と制御部５とが組み合わされた状態で設定される。
【００３５】
例えば、工場出荷時において、表示パネル４の各画素列に対し、例えば、同一値の映像信号を供給し、各画素列毎に、正面視における光量値を測定する。そして、測定した各画素列毎の光量値を所定の基準光量値で除することで、各画素列毎の基準光量値に対する光量比が得られる。このとき、光量比が所定の閾値以下となる画素列を除外することで、表示パネル４の折り曲げ端よりも外側（背面側）に位置する画素列を、正面視において視認されない画素列として特定することができる。このような手順により、正面視において視認される表示パネル４の各有効画素列を決定すると共に、これらの各有効画素列毎の基準光量値に対する光量比を設定することができる。
【００３６】
また、例えば、各有効画素列毎の正面視における光量を検出可能な光センサーを設け、工場出荷後において、正面視で視認される表示パネル４の各有効画素列を決定すると共に、これらの各有効画素列毎の基準光量値に対する光量比を設定する構成であっても良い。
【００３７】
なお、各有効画素列毎の基準光量値に対する光量比を求める際の基準光量値としては、例えば、表示パネル４の平面領域Ｄにおける各有効画素列の光量値の平均値であっても良いし、表示パネル４の平面領域ＤにおけるＸ方向（第１方向）の中央部の所定領域内に含まれる各有効画素列の光量値の平均値であっても良い。また、例えば、表示パネル４の各有効画素列における光量値の理論値又は理想値を基準光量値としても良い。この各有効画素列毎の基準光量値に対する光量比を求める際の基準光量値により本発明が限定されるものではない。
【００３８】
次に、画像信号制御情報Ｉ１２（Ｉ２２）の設定手法について説明する。画像信号制御情報Ｉ１２（Ｉ２２）は、表示装置１が構成された状態で設定される。
【００３９】
図６は、図３に示す曲面領域にＸ方向（第１方向）の一部又は全部が含まれる有効画素列が、隣接する各表示パネルにおいてそれぞれ２列である場合の各有効画素列毎の光量比をグラフ化した図である。図６において、横軸は有効画素列の配列順を示し、縦軸は光量比を示している。また、図６では、各有効画素列における光量比を丸印で示している。図７は、制御部における処理フローの一例を示す。図８は、制御部における処理フローの変形例を示す。
【００４０】
図７において、第１制御部５１の処理部５１１は、第１制御部５１のレジスタ部５１２から第１表示パネル４１における各有効画素列Ｒ１ｎ，Ｒ１ｎ−１，Ｒ１ｎ−２，Ｒ１ｎ−３，Ｒ１ｎ−４，・・・の各光量比Ｌ１ｎ，Ｌ１ｎ−１，Ｌ１ｎ−２，Ｌ１ｎ−３，Ｌ１ｎ−４，・・・を示す光量比情報Ｉ１１を読み出すと共に（ステップＳ１１）、第２処理部５２は、第２制御部５２のレジスタ部５２２から第２表示パネル４２における各有効画素列Ｒ２１，Ｒ２２，Ｒ２３，Ｒ２４，Ｒ２５，・・・の各光量比Ｌ２１，Ｌ２２，Ｌ２３，Ｌ２４，Ｌ２５，・・・を示す光量比情報Ｉ２１を読み出す（ステップＳ２１）。
【００４１】
第２制御部５２は、読み出した光量比情報Ｉ２１を第１制御部５１に送信し（ステップＳ２２）、第１制御部５１は、第２制御部５２から光量比情報Ｉ２１を受信する（ステップＳ１２）。
【００４２】
第１制御部５１の処理部５１１は、第１表示パネル４１および第２表示パネル４２の各有効画素列における各光量比を所定の第１閾値Ｌｔｈ１と比較する。具体的には、各有効画素列の光量比が第１閾値Ｌｔｈ１以下であるか否かを判定する（ステップＳ１３）。なお、図６に示す領域Ａは、光量比が第１閾値Ｌｔｈ１以下となる領域を示している。
【００４３】
図６に示す例では、平面領域Ｄに全部が含まれる有効画素列における光量比を基準光量値に対する基準光量比Ｌｒｅｆとしている。第１閾値Ｌｔｈ１は、この基準光量比Ｌｒｅｆよりも小さい値に設定されている。
【００４４】
図７において、有効画素列の光量比が第１閾値Ｌｔｈ１以下である場合（ステップＳ１３；Ｙｅｓ）、第１制御部５１は、隣接する有効画素列と同一の映像信号を画像信号制御情報Ｉ１２として設定する（ステップＳ１４Ｙ）。例えば、有効画素列Ｒ１ｎの光量比Ｌ１ｎが第１閾値Ｌｔｂ１以下である場合、有効画素列Ｒ１ｎと、有効画素列Ｒ１ｎに隣接する有効画素列Ｒ１ｎ−１とに同一の映像信号が設定される。また、有効画素列Ｒ２１の光量比Ｌ２１が第１閾値Ｌｔｈ１以下である場合、有効画素列Ｒ２１と、有効画素列Ｒ２１に隣接する有効画素列Ｒ１ｎに同一の映像信号が設定される。一方で、各有効画素列の光量比が第１閾値Ｌｔｈ１よりも大きい場合（ステップＳ１３；Ｎｏ）、第１制御部５１は、隣接する有効画素列と異なる映像信号を画像信号制御情報Ｉ１２として設定する（ステップＳ１４Ｎ）。図９および図１０は、図３に示す例において、光量比が第１閾値Ｌｔｈ１以下となる有効画素列を含む画像信号制御情報の一例を示す図である。
【００４５】
続いて、第１制御部５１は、全ての有効画素列の設定が完了したかを判定する（ステップＳ１５）。全ての有効画素列の設定が完了していない場合（ステップＳ１５；Ｎｏ）、第１制御部５１は、ステップＳ１３からステップＳ１５までの処理を繰り返す。全ての有効画素列の設定が完了した場合（ステップＳ１５；Ｙｅｓ）、第１制御部５１は、画像信号制御情報Ｉ１２を第２制御部５２に送信する（ステップＳ１６）。第２制御部５２は、第１制御部５１から画像信号制御情報Ｉ１２を受信し（ステップＳ２３）、当該画像信号制御情報Ｉ１２を画像信号情報Ｉ２２としてレジスタ部５２２に記録する（ステップＳ２４）。
【００４６】
なお、ステップＳ１４Ｙにおいて、同一の映像信号を設定する隣接する有効画素列として、境界部に対して第１閾値Ｌｔｈ１以下の有効画素列が配置される表示パネル側に隣接する有効画素列を選択したが、これに限られない。例えば、有効画素列Ｒ１ｎが第１閾値Ｌｔｈ１以下である場合、有効画素列Ｒ２１に対して同一の映像信号を設定してもよい。この場合、有効画素列Ｒ１ｎは、有効画素列Ｒ１ｎ−１の映像信号Ｓｍ＋３と異なる映像信号Ｓｍ＋４が対応づけられる。更に、有効画素列Ｒ２１が第１閾値Ｌｔｈ１以下である場合、隣接する有効画素列Ｒ２２に対して映像信号Ｓｍ＋４が設定されてもよい。
【００４７】
図８は、制御部５における処理フローの変形例を示し、図７とは、各有効画素列の光量比が第１閾値Ｌｔｈ１以下である場合（ステップＳ１３；Ｙｅｓ）の処理が異なる。以下では、図７の処理とは異なる部分の処理について説明し、それ以外の説明については図７と同様であるため、説明を省略する。
【００４８】
図８において、各有効画素列の光量比が第１閾値Ｌｔｈ１以下である場合（ステップＳ１３；Ｙｅｓ）、第１制御部５１は、隣接する有効画素列の光量比を合算した合算光量比を求める。例えば、有効画素列Ｒ１ｎの光量比Ｌ１ｎが第１閾値Ｌｔｈ１以下である場合、有効画素列Ｒ１ｎに隣接する有効画素列Ｒ２１の光量比Ｌ２１との合算光量比（図６に示す例では、Ｌ１ｎ＋Ｌ２１）を求める。ここで、光量比が第１閾値以下である有効画素列（第１領域）と、その有効画素列に隣接する有効画素列（第２領域）からなる領域を、以下、領域Ｅと呼称する。言い換えると、合算光量比を求めた有効画素列を含む領域を領域Ｅとする。すなわち、第１制御部５１は、領域Ｅの合算光量比を算出する（ステップＳ１４１）。
【００４９】
そして、第１制御部５１の処理部５１１は、合算光量比（図６に示す例では、Ｌ１ｎ＋Ｌ２１）を所定の第２閾値Ｌｔｈ２と比較する。具体的には、合算光量比が第２閾値Ｌｔｈ２以下であるか否かを判定する（ステップＳ１４２）。図６に示す一点鎖線上に示した三角印は、領域Ｅに属する有効画素列における光量比の和が、第２閾値Ｌｔｈ２よりも大きい例を示し、四角印は、領域Ｅに属する有効画素列における光量比の和が、第２閾値Ｌｔｈ２以下である例を示している。
【００５０】
図６では、第２閾値Ｌｔｈ２が第１閾値Ｌｔｈ１よりも小さい例を示したが（Ｌｔｈ１＞Ｌｔｈ２）、第２閾値Ｌｔｈ２と第１閾値Ｌｔｈ１との大小関係はこれに限らず、例えば、第２閾値Ｌｔｈ２が第１閾値Ｌｔｈ１よりも大きい態様であっても良いし（Ｌｔｈ１＜Ｌｔｈ２）、第２閾値Ｌｔｈ２が第１閾値Ｌｔｈ１と等しい態様であっても良い（Ｌｔｈ１＝Ｌｔｈ２）。第１閾値Ｌｔｈ１および第２閾値Ｌｔｈ２の好適な設定例については後述する。
【００５１】
各有効画素列の光量比が第１閾値Ｌｔｈ１以下となる領域Ｅにおける有効画素列（Ｒ１ｎ，Ｒ２１）の合算光量比（Ｌ１ｎ＋Ｌ２１）が第２閾値Ｌｔｈ２以下である場合（Ｌ１ｎ＋Ｌ２１≦Ｌｔｈ２、例えば、図６に示す四角印）（ステップＳ１４２；Ｙｅｓ）、領域Ｅに更に隣接する有効画素列を加える（ステップＳ１４３Ｙ）。その後は、ステップＳ１４１に戻り、更に加わった有効画素列の光量比を加えた領域Ｅにおける合計光量比を求め、ステップＳ１４２で再び第２閾値Ｌｔｈ２と比較する。例えば、有効画素列Ｒ１ｎと有効画素列Ｒ２１を含む領域Ｅの合算光量比が第２閾値Ｌｔｈ２以下である場合、有効画素列Ｒ１ｎに隣接する有効画素列Ｒ１ｎ＋１を領域Ｅに加え、有効画素列Ｒ１ｎ-１の光量比Ｌ１ｎ−１、有効画素列Ｒ１ｎの光量比Ｌ１ｎと、有効画素列Ｒ２１の光量比Ｌ２１の合算光量比を求めて第２閾値Ｌｔｈ２と比較する。
【００５２】
また、各有効画素列の光量比が第１閾値Ｌｔｈ１以下となる領域Ｅにおける有効画素列（Ｒ１ｎ，Ｒ２１）の合算光量比（Ｌ１ｎ＋Ｌ２１）が第２閾値Ｌｔｈ２よりも大きい場合（Ｌ１ｎ＋Ｌ２１＞Ｌｔｈ２、例えば、図６に示す三角印）（ステップＳ１４２；Ｎｏ）、第１制御部５１は、領域Ｅに含まれる有効画素列に対して、同一の映像信号を画像信号制御情報Ｉ１２として設定する（ステップＳ１４３Ｎ）。例えば、有効画素列Ｒ１ｎおよび有効画素列Ｒ２１を含む領域Ｅの合算光量比が第２閾値Ｌｔｈ２より大きい場合、図９に示すように、領域Ｅに含まれる有効画素列Ｒ１ｎと有効画素列Ｒ２１に同一の映像信号Ｓｍ＋４が設定される。また、有効画素列Ｒ１ｎおよび有効画素列Ｒ２１の合算光量比では第２閾値Ｌｔｈ２以下であり、領域Ｅに有効画素列Ｒ１ｎ−１を加えた合算光量比が第２閾値Ｌｔｈ２より大きい場合、図１０に示すように、領域Ｅに含まれる有効画素列Ｒ１ｎ−１、有効画素列Ｒ１ｎ、有効画素列Ｒ２１に同一の映像信号Ｓｍ＋３が設定される。
【００５３】
なお、ステップＳ１４３Ｙにおいて、領域Ｅの合算光量値が第２閾値Ｌｔｈ２以下の場合に加える隣接する有効画素列として、境界部に対して第１表示パネル側に隣接する有効画素列としたが、これに限られない。例えば、境界部に対して第２表示パネル側に隣接する有効画素列としてもよい。また、隣接する有効画素列の内、有効画素列に対する光量比が低い順に加えるようにしてもよい。言い換えると、隣接する有効画素列の内、境界部に対してＸ方向の距離が近い順に加えるようにしてもよい。さらに、隣接する有効画素列の内、有効画素列に対する光量比が高い順に加えるようにしてもよい。言い換えると、隣接する有効画素列の内、境界部に対してＸ方向の距離が遠い順に加えるようにしてもよい。
【００５４】
また、図７又は図８において、ステップＳ１１とステップＳ１２の順番は逆でもよい。例えば、第１制御部５１は、第２制御部５２から光量比情報Ｉ２１を受信してから光量比情報Ｉ１１を読み出してもよい。
【００５５】
さらに、第２制御部５２は、第１制御部５１から画像信号情報Ｉ１２を受信し、画像信号情報Ｉ２２として記録するとしたが、これに限られない。例えば、第２制御部５２も第１制御部５１から光量比情報Ｉ１１を受信し、光量比情報Ｉ２１を読み出すことで、図７又は図８におけるステップＳ１３からステップＳ１５までの処理を実施してもよい。
【００５６】
そして、第１制御部５１の処理部５１１は、上述のようにして求めた図９又は図１０に示す画像信号制御情報Ｉ１２を用いて、制御装置２又は前段の制御部５（図示せず）から入力された画像信号Ｖ０を制御し、第１表示パネル４１の表示制御を行うと共に、第２制御部５２の処理部５２１に出力する画像信号Ｖ１を生成する。
【００５７】
図１１は、曲面領域ＣにＸ方向（第１方向）の一部又は全部が含まれる有効画素列が、隣接する各表示パネルにおいてそれぞれ３列である場合の概略断面図である。図１１に示す例では、第１表示パネル４１の第２表示パネル４２側の折り曲げ端から順に、有効画素列Ｒ１ｎ、有効画素列Ｒ１ｎ−１、有効画素列Ｒ１ｎ−２、有効画素列Ｒ１ｎ−３、有効画素列Ｒ１ｎ−４、有効画素列Ｒ１ｎ−５、・・・が並び、第２表示パネル４２の第１表示パネル４１側の折り曲げ端から順に、有効画素列Ｒ２１、有効画素列Ｒ２２、有効画素列Ｒ２３、有効画素列Ｒ２４、有効画素列Ｒ２５、有効画素列Ｒ２６、・・・が並んでいるものとしている。
【００５８】
図１２は、図１１に示す曲面領域ＣにＸ方向（第１方向）の一部又は全部が含まれる有効画素列が、隣接する各表示パネルにおいてそれぞれ３列である場合の各有効画素列毎の光量比をグラフ化した図である。図１２では、第１表示パネル４１の有効画素列Ｒ１ｎ−１，Ｒ１ｎおよび第２表示パネル４２の有効画素列Ｒ２１，Ｒ２２において、光量比Ｌ１ｎ−１，Ｌ１ｎ，Ｌ２１，Ｌ２２が第１閾値Ｌｔｈ１以下となった例を示している。図１２に示す領域Ａは、光量比が第１閾値Ｌｔｈ１以下となる領域を示している。図１３および図１４は、図１１に示す例において、光量比が第１閾値Ｌｔｈ１以下となる有効画素列を含む画像信号制御情報の一例を示す図である。
【００５９】
図８において、最も低い光量比を有する有効画素列を含む領域Ｅに対して、隣接する有効画素列の中で光量比が低い順で有効画素列を加えるとした場合、最も光量比の低い有効画素列Ｒ１ｎと有効画素列Ｒ２１の合算光量比（光量比Ｌ１ｎ＋光量比Ｌ２１）を求めて第２閾値ｔｈ２と比較する。光量比Ｌ１ｎと光量比Ｌ２１の合算光量比が第２閾値ｔｈ２以下であった場合、更に、領域Ｅに有効画素列Ｌ１ｎ−１を加える。有効画素列Ｌ１ｎ−１の光量比Ｌ１ｎ−１を加えた合算光量比が第２閾値以下であるかを判定する。光量比Ｌ１ｎ−１を加えた合算光量比が第２閾値より大きい場合、領域Ｅに含まれる有効画素列Ｒｎ−１、有効画素列Ｒｎ、有効画素列Ｒ２１に同様の映像信号が設定される。また、映像信号が設定されていない有効画素列Ｒ２２についても同様に、有効画素列Ｒ２２を基準として、隣接する有効画素列Ｌ２１の光量を足した合成光量比と第２閾値を比較してもよい。
【００６０】
図１１から図１４に示すように、曲面領域ＣにＸ方向（第１方向）の一部又は全部が含まれる有効画素列が、隣接する各表示パネル４においてそれぞれ３列又はそれ以上である場合においても、基本的には、曲面領域ＣにＸ方向（第１方向）の一部又は全部が含まれる有効画素列が、隣接する各表示パネル４においてそれぞれ２列である場合と同様である。
【００６１】
すなわち、まず、最も低い光量比を有する有効画素列Ｒ１ｎの光量比Ｌ１ｎと第１閾値Ｌｔｈ１を比較する。本実施例において、光量比Ｌ１ｎは第１閾値Ｌｔｈ２を超えていないため、有効画素列Ｒ１ｎと、有効画素列Ｒ１ｎに隣接する有効画素列の内、光量比の低い有効画素列Ｒ２１とからなる領域Ｅ（Ｒ１ｎ＋Ｒ２１）における合算光量比（Ｌ１ｎ＋Ｌ２１）を求める。そして、合算光量比（Ｌ１ｎ＋Ｌ２１）を第２閾値Ｌｔｈ２と比較する。本実施例において、合算光量比（Ｌ１ｎ＋Ｌ２１）は第２閾値Ｌｔｈ２より低いため、領域Ｅ（Ｒ１ｎ＋Ｒ２１）に隣接する有効画素列の内、光量比の低い有効画素列Ｒ１ｎ−１を加えて、領域Ｅ（Ｒ１ｎ−１＋Ｒ１ｎ＋Ｒ２１）における合算光量比（Ｌ１ｎ−１＋Ｌ１ｎ＋Ｌ２１）を求める。そして、合算光量比（Ｌ１ｎ−１＋Ｌ１ｎ＋Ｌ２１）を第２閾値Ｌｔｈ２と比較する。本実施例において、合算光量比（Ｌ１ｎ−１＋Ｌ１ｎ＋Ｌ２１）は第２閾値Ｌｔｈ２を超えるため、図１３に示す通り、領域Ｅ（Ｒ１ｎ−１＋Ｒ１ｎ＋Ｒ２１）に含まれる有効画素列Ｒｎ−１、有効画素列Ｒ１ｎ、および、有効画素列Ｒ２１には同一の映像信号Ｓｍ＋３が設定される。続いて、映像信号の設定されていない有効画素列Ｒ２２の光量比Ｌ２２と第１閾値Ｌｔｈ１を比較する。本実施例において、光量比Ｌ２２は、第１閾値Ｌｔｈ１を超えていないため、隣接する有効画素列の内、光量比の低い有効画素列Ｒ２１を加えた領域Ｅ(Ｒ２１＋Ｒ２２)の合算光量比（Ｌ２１＋Ｌ２２）を求める。そして、合算光量比（Ｌ２１＋Ｌ２２）が第２閾値Ｌｔｈ２と比較する。本実施例において、合算光量比（Ｌ２１＋Ｌ２２）が第２閾値Ｌｔｈ２を超えるため、図１３に示す通り、領域Ｅ(Ｒ２１＋Ｒ２２)に含まれるには有効画素列Ｒ２１および有効画素列Ｒ２２に同一の映像信号Ｓｍ＋３が設定される。
【００６２】
なお、図１３においては、光量比が低い順に領域Ｅに加えて合算光量比を求めることとしたが、これに限られず、同一表示パネル上の有効画素列を優先的に選択するようにしてもよい。すなわち、有効画素列Ｒ１ｎと、有効画素列Ｒ１ｎに隣接する有効画素列の内、同一表示パネル上に配置される有効画素列Ｒ１ｎ−１とからなる領域Ｅ（Ｒ１ｎ−１＋Ｒ１ｎ）における合算光量比（Ｌ１ｎ−１＋Ｌ１ｎ）を求める。そして、合算光量比（Ｌ１ｎ−１＋Ｌ１ｎ）を第２閾値Ｌｔｈ２と比較する。本実施例において、合算光量比（Ｌ１ｎ−１＋Ｌ１ｎ）は第２閾値Ｌｔｈ２より低いため、領域Ｅ（Ｒ１ｎ−１＋Ｒ１ｎ）に隣接する有効画素列の内、同一表示パネル上の有効画素列Ｒ１ｎ−２を加えて、領域Ｅ（Ｒ１ｎ−２＋Ｒ１ｎ−１＋Ｒ１ｎ）における合算光量比（Ｌ１ｎ−２＋Ｌ１ｎ−１＋Ｌ１ｎ）を求める。そして、合算光量比（Ｌ１ｎ−２＋Ｌ１ｎ−１＋Ｌ１ｎ）を第２閾値Ｌｔｈ２と比較する。本実施例において、合算光量比（Ｌ１ｎ−２＋Ｌ１ｎ−１＋Ｌ１ｎ）は第２閾値Ｌｔｈ２を超えるため、図１４に示す通り、領域Ｅ（Ｒ１ｎ−２＋Ｒ１ｎ−１＋Ｒ１ｎ）に含まれる有効画素列Ｒｎ−２、有効画素列Ｒ１ｎ−１、および、有効画素列Ｒ１ｎには同一の映像信号Ｓｍ＋２が設定される。続いて、映像信号の設定されていない有効画素列Ｒ２１と、隣接する有効画素列の内、同一表示パネル上に配置される有効画素列Ｒ２２を加えた領域Ｅ(Ｒ２１＋Ｒ２２)の合算光量比（Ｌ２１＋Ｌ２２）を求める。そして、合算光量比（Ｌ２１＋Ｌ２２）が第２閾値Ｌｔｈ２と比較する。本実施例において、合算光量比（Ｌ２１＋Ｌ２２）が第２閾値Ｌｔｈ２を超えるため、図１４に示す通り、領域Ｅ(Ｒ２１＋Ｒ２２)に含まれるには有効画素列Ｒ２１および有効画素列Ｒ２２に同一の映像信号Ｓｍ＋３が設定される。
【００６３】
ここで、第１閾値Ｌｔｈ１および第２閾値Ｌｔｈ２の好適な設定例について説明する。
【００６４】
本実施形態では、上述したように、曲面領域ＣにＸ方向（第１方向）の一部又は全部が含まれる複数の有効画素列に対して、同一の映像信号を供給する。このとき、平面領域Ｄに全部が含まれる有効画素列の幅と、曲面領域Ｃにおいて同一の映像信号が供給される複数の有効画素列の合計幅との差が小さいほど、平面領域Ｄに全部が含まれる有効画素列から表示領域３に直交する方向（Ｚ方向）に発する光量と、曲面領域Ｃにおいて同一の映像信号が供給される複数の有効画素列から表示領域３に直交する方向（Ｚ方向）に発する光量との相対差を小さくすることができるが、表示パネル４上の画素列の幅と表示パネル４の折り曲げ端における曲げ半径ｒの大きさとの相関関係によっては、必ずしも最適値とはならない場合がある。
【００６５】
隣接する２の表示パネル４の一方において、光量比が第１閾値Ｌｔｈ１以下となる領域Ｅに属する有効画素列に対し、この領域Ｅに隣接する有効画素列と同一の映像信号を供給する態様（以下、「第１態様」ともいう）では、平面領域Ｄに全部が含まれる有効画素列における光量比を１としたとき、領域Ｅに隣接する有効画素列の光量比は、最大で１の値を取り得る。このとき、領域Ｅに隣接する有効画素列と同一の映像信号が供給される有効画素列の光量比の合計値は、より小さいことが好ましい。
【００６６】
一方、隣接する２の表示パネル４の双方において、光量比が第１閾値Ｌｔｈ１以下となる領域Ｅに属する有効画素列に対し、それぞれ同一の映像信号を供給する態様（以下、「第２態様」ともいう）では、平面領域Ｄに全部が含まれる有効画素列における光量比を１としたとき、同一の映像信号が供給される有効画素列の光量比の合計値が略１であることが好ましい。
【００６７】
例えば、第１閾値を領域Ｅに属する有効画素列の合計光量比が平均的に略１となるような値に設定し、第２閾値を１に設定すると、第２態様において同一の映像信号が供給される有効画素列の光量比は、平均的に１よりも大きい狭範囲内に分布させることができる。一方、第１態様において同一の映像信号が供給される有効画素列の光量比の合計値は、最大で２の値を取り得る。
【００６８】
また、例えば、第１閾値を領域Ｅに属する有効画素列の合計光量比が平均的に略０．５となるような値に設定し、第２閾値を０．５に設定すると、第２態様において同一の映像信号が供給される有効画素列の光量比の合計値は、平均的に０．５よりも大きい狭範囲内に分布させることができる。一方、第１態様において同一の映像信号が供給される有効画素列の光量比の合計値は、最大でも１．５の値となる。
【００６９】
領域Ｅに隣接する有効画素列の光量比は、当該有効画素列の表示パネル４の折り曲げ端からの距離に略比例する。すなわち、領域Ｅに隣接する有効画素列の表示パネル４の折り曲げ端からの距離が、表示パネル４の折り曲げ端における曲げ半径ｒに対して小さい場合には、領域Ｅに隣接する有効画素列の光量比が小さくなり、領域Ｅに隣接する有効画素列の表示パネル４の折り曲げ端からの距離が、表示パネル４の折り曲げ端における曲げ半径ｒに対して大きい場合には、領域Ｅに隣接する有効画素列の光量比が大きくなる。
【００７０】
換言すれば、表示パネル４の折り曲げ端における曲げ半径ｒの大きさに対し、表示パネル４上の画素列の幅が相対的に大きい場合には、領域Ｅに隣接する有効画素列の光量比が１に近くなるが、表示パネル４の折り曲げ端における曲げ半径ｒの大きさに対し、表示パネル４上の画素列の幅が相対的に小さい場合には、領域Ｅに隣接する有効画素列の光量比が小さくなる。
【００７１】
このため、表示パネル４の折り曲げ端における曲げ半径ｒの大きさに対し、表示パネル４上の画素列の幅が相対的に小さい場合において、例えば、第１閾値を領域Ｅに属する有効画素列の光量比の合計値が平均的に略１となるような値に設定し、第２閾値を１に設定すると、第１態様および第２態様において同一の映像信号が供給される有効画素列から表示領域３に直交する方向（Ｚ方向）に発する光量が、曲面領域Ｃにおいて、同一の映像信号が供給される有効画素列よりも平面領域Ｄ側に位置する有効画素列から表示領域３に直交する方向（Ｚ方向）に発する光量よりも大きくなり、意図に反して表示パネル４の継ぎ目を目立たせる可能性がある。このような場合には、第１閾値Ｌｔｈ１および第２閾値Ｌｔｈ２の値を小さくすることで、同一の映像信号が供給される有効画素列から表示領域３に直交する方向（Ｚ方向）に発する光量が、同一の映像信号が供給される有効画素列に隣接する有効画素列から表示領域３に直交する方向（Ｚ方向）に発する光量と同等になるようにすれば良い。
【００７２】
以上説明したように、実施形態１に係る表示装置１は、Ｘ方向（第１方向）に並ぶ複数の画素列を有し、各画素列はＸ方向（第１方向）とは異なるＹ方向（第２方向）に並ぶ複数の画素Ｐｉｘからなる複数の表示パネル４と、複数の表示パネル４の表示制御を行う制御部５と、を備えている。表示パネル４は、Ｙ方向（第２方向）に延在する少なくとも１辺に曲面を成す曲面領域Ｃと、該曲面領域Ｃを除く平面領域Ｄとを含む。制御部５は、画素列毎の光量比に基づいて、曲面領域Ｃに一部又は全部が含まれる第１画素列と、少なくとも第１画素列に対して隣接する第２画素列とに対して同一の映像信号を供給する。
【００７３】
具体的には、制御部５は、同一の映像信号を供給する有効画素列を、有効画素列毎に同一値の映像信号を供給したときの所定の基準光量値に対する有効画素列毎の光量比に基づき設定する。
【００７４】
より具体的には、第１制御部５１は、光量比が所定の第１閾値Ｌｔｈ１以下となる第１表示パネル４１の第１領域と、光量比が所定の第１閾値Ｌｔｈ１以下となる第２表示パネル４２の第２領域とを特定する。そして、第１制御部５１は、第１領域および第２領域に含まれる隣接する有効画素列からなる領域Ｅを設定し、領域Ｅに含まれる有効画素列の光量比を合算した合算光量比が所定の第２閾値Ｌｔｈ２以下となる場合に、領域Ｅに隣接する有効画素列を更に領域Ｅとして設定する。また、第１制御部５１は、合算光量比が第２閾値Ｌｔｈ２よりも大きい場合に、領域Ｅに含まれる有効画素列に対し、同一の映像信号を供給するように設定する。
【００７５】
これにより、平面領域Ｄに全部が含まれる有効画素列に供給される映像信号によって観測者が感知する明るさと、曲面領域Ｃにおいて複数の有効画素列に供給される同一の映像信号によって観測者が感知する明るさとの相対差を小さくすることができる。
【００７６】
また、画素Ｐｉｘを構成する副画素（例えば、赤色光を発するＲｐｉｘ、緑色光を発する副画素Ｇｐｉｘ、青色光を発する副画素Ｂｐｉｘ）は、Ｘ方向（第１方向）の長さが等しく、これら副画素がＹ方向（第２方向）に並び配列されて構成されている。また、画素Ｐｉｘにおいて、隣接する副画素の色は同じである。これにより、表示パネル４の曲面領域ＣにＸ方向の一部又は全部が含まれる有効画素列において、各副画素から表示領域３に直交する方向（Ｚ方向）に発する光量が等しくなる。
【００７７】
本実施形態により、複数の表示パネル４の継ぎ目を目立たせることなく表示することができる表示装置１を提供することができる。
【００７８】
（実施形態２）
実施形態２では、第１態様および第２態様において同一の映像信号が供給される複数の有効画素列の光量比の和の逆数を映像信号の信号値に乗じる。このようにすれば、平面領域Ｄに全部が含まれる有効画素列から表示領域３に直交する方向（Ｚ方向）発する光量と、曲面領域Ｃにおいて同一の映像信号が供給される複数の有効画素列から表示領域３に直交する方向（Ｚ方向）発する光量との相対差をより小さくすることができる。換言すれば、平面領域Ｄに全部が含まれる有効画素列に供給される映像信号によって観測者が感知する明るさと、曲面領域Ｃにおいて複数の有効画素列に供給される同一の映像信号によって観測者が感知する明るさとの相対差をより小さくすることができる。なお、上述した実施形態で説明したものと同じ構成要素には同一の符号を付して重複する説明は省略する。
【００７９】
図１５は、図３および図９に示す例において、映像信号に対して光量比の逆数を反映した場合の実施形態２に係る画像信号制御情報の一例を示す図である。図１６は、曲面領域にＸ方向（第１方向）の一部又は全部が含まれる有効画素列が、隣接する各表示パネルにおいてそれぞれ２列である場合の概略断面図である。
【００８０】
図１５に示すように、光量比が第１閾値以上Ｌｔｈ１を超える有効画素列Ｒ１ｎ−４から有効画素列Ｒ１ｎ−１および有効画素列Ｒ２２から有効画素列Ｒ２５は、各映像信号Ｓｍから映像信号Ｓｍ＋３および映像信号Ｓｍ＋５から映像信号Ｓｍ＋８に対して、それぞれの有効画素列の光量比の逆数である１／Ｌ１ｎ−４〜１／Ｌ１ｎ−１および１／Ｌ２２〜１／Ｌ２５をそれぞれ乗じた信号が設定される。つまり、図７および図８におけるステップＳ１４Ｎにおいて、有効画素列に異なる映像信号に光量比の逆数を乗じた信号を設定する。一方で、光量比が第１閾値以上Ｌｔｈ１以下である有効画素列Ｒ１ｎの場合、有効画素列Ｒ１ｎと、有効画素列Ｒ１ｎと隣接する有効画素列Ｒ２１とからなる領域Ｅにおいて、合算光量（Ｌ１ｎ＋Ｌ２１）を算出し、合算光量比（Ｌ１ｎ＋Ｌ２１）が第２閾値Ｌｔｈ２を超える場合、領域Ｅに対応する有効画素列Ｒ１ｎと有効画素列Ｒ２１に対して、同一の映像信号Ｓｍ＋４に合算光量比の逆数（１／（Ｌ１ｎ＋Ｌ２１））を乗じた信号を設定する。つまり、図８におけるステップＳ１４３Ｎにおいて、領域Ｅに対して、同一の映像信号に領域Ｅの合算光量比の逆数を乗じた信号を設定する。
【００８１】
なお、図１５において、図９に映像信号に対して光量比の逆数を乗じる場合について説明したが、図１０、図１３および図１４の場合も同様に、映像信号に対して有効画素列の光量比、又は、領域Ｅの合算光量比の逆数を乗じてもよい。
【００８２】
実施形態１および実施形態２において、光量比Ｌは、同一値の映像信号を供給し、各画素列毎に、正面視における光量値を測定し、測定した各画素列毎の光量値を所定の基準光量値で除することで、各画素列毎の基準光量値に対する光量比が得る場合を例としたがこれに限られない。有効画素列の光量比は、基準幅Ｗ０に対する各有効画素列のＸ方向の幅の比率としてもよい。また、基準幅Ｗ０は、平面領域Ｄに含まれる有効画素列ＲのＸ方向の幅としてもよい。例えば、図１６において、平面領域Ｄに含まれる有効画素列Ｒ１ｎ−４、Ｒ１ｎ−３、Ｒ１ｎ−２、Ｒ２３、Ｒ２４、Ｒ２５のＸ方向の幅Ｗ１ｎ−4、Ｗ１ｎ−３、Ｗ１ｎ−２、Ｗ２３、Ｗ２４、Ｗ２５の何れかとしてもよい。
【００８３】
また、曲面領域Ｃについては、平面視において視認される各有効画素列のＸ方向における頂点間の距離をＸ方向における幅Ｗとして、幅Ｗを基準幅Ｗ０で除した値を光量比としてもよい。例えば、有効画素列Ｒ１ｎにおいて、Ｘ方向の幅Ｗは幅Ｗ１ｎであり、幅Ｗ１ｎを基準幅Ｗ０で除した値を光量比Ｌ１ｎとしてもよい。
【００８４】
また、有効画素列の光量比は、基準面積Ａ０に対する各有効画素列の平面視で視認される面積Ｓの比率としてもよい。また、基準面積Ｓ０は、平面領域Ｄに含まれる有効画素列Ｒの面積としてもよい。例えば、図１６において、平面領域Ｄに含まれる有効画素列Ｒ１ｎ−４、Ｒ１ｎ−３、Ｒ１ｎ−２、Ｒ２３、Ｒ２４、Ｒ２５の面積Ｓ１ｎ−4、Ｓ１ｎ−３、Ｓ１ｎ−２、Ｓ２３、Ｓ２４、Ｓ２５の何れかとしてもよい。
【００８５】
また、曲面領域Ｃについては、平面視において視認される各有効画素列の面積を面積Ｓを基準面積Ｓ０で除した値を光量比としてもよい。例えば、有効画素列Ｒ１ｎにおいて、平面視で視認される面積Ｓ１ｎであり、面積Ｓ１ｎを基準面積Ｓ０で除した値を光量比Ｌ１ｎとしてもよい。
【００８６】
このように、有効画素列の光量比を、平面視におけるＸ方向の幅や各有効画素列の面積とすることで、実際に諧調信号を供給し光量値を測定することなく、各画素の物理的な距離に基づいて、光量比を設定することが出来る。
【００８７】
なお、実施形態１または実施形態２において、光量比Ｌが第１閾値Ｌｔｈ１以下である有効画素列を第１画素列として、第１画素列に対して隣接し、同一の映像信号を設定する画素列を第２画素列とする。
【００８８】
以上説明したように、実施形態２に係る表示装置１では、同一の映像信号を供給する複数の有効画素列の光量比の和の逆数を映像信号の信号値に乗じる。これにより、平面領域Ｄに全部が含まれる有効画素列に供給される映像信号によって観測者が感知する明るさと、曲面領域Ｃにおいて複数の有効画素列に供給される同一の映像信号によって観測者が感知する明るさとの相対差をより小さくすることができる。
【００８９】
本実施形態により、複数の表示パネル４の継ぎ目を目立たせることなく表示することができる表示装置１を提供することができる。
【００９０】
上述した実施形態は、各構成要素を適宜組み合わせることが可能である。また、本実施形態において述べた態様によりもたらされる他の作用効果について本明細書記載から明らかなもの、又は当業者において適宜想到し得るものについては、当然に本発明によりもたらされるものと解される。
【符号の説明】
【００９１】
１  表示装置
２  制御装置
３  表示領域
４，４−１，４−２，・・・，４−ｐ  表示パネル
５，５−１，５−２，・・・，５−ｐ  制御部
６  基板
４１  第１表示パネル
４２  第２表示パネル
５１  第１制御部
５２  第２制御部
１００  表示システム
５１１，５２１  処理部
５１２，５２２  レジスタ部
【図１】
2019066666.tif 000003
【図２】
2019066666.tif 000004
【図３】
2019066666.tif 000005
【図４】
2019066666.tif 000006
【図５Ａ】
2019066666.tif 000007
【図５Ｂ】
2019066666.tif 000008
【図６】
2019066666.tif 000009
【図７】
2019066666.tif 000010
【図８】
2019066666.tif 000011
【図９】
2019066666.tif 000012
【図１０】
2019066666.tif 000013
【図１１】
2019066666.tif 000014
【図１２】
2019066666.tif 000015
【図１３】
2019066666.tif 000016
【図１４】
2019066666.tif 000017
【図１５】
2019066666.tif 000018
【図１６】
2019066666.tif 000019